(57)【要約】【課題】間仕切り１に設けた開口部Ｓに、先付け部材である第一支持部材７と後付け部材である第二支持部材８とを用いて窓板４を支持するにあたり、第二支持部材８を強固に固定支持する。【解決手段】第一支持部材７を、枠材５と第二支持部材８とのあいだに配設される延長部７ｅが形成されたものにし、該延長部７ｅと第二支持部材８を、延長部７ｅに設けた嵌合溝部７ｆに、第二支持部材８に設けた係止脚片部８ｅを抜止め状態で嵌入すると共に、第二支持部材８を、さらに開口部の内方側から見付け方向外側に向けて螺入するビス９を介して固定する構成にする。【選択図】図５
2020084713.tif 000002
【特許請求の範囲】
【請求項１】
建物に設けられる開口部に板材を取付け支持するための支持構造であって、
前記開口部の内周縁部に設けられる枠材に、開口部の見込み方向一方側に配され、前記板材の見込み方向一方側の板面部を支持する先付け部材としての第一支持部材と、開口部の見込み方向他方側に配され、板材の見込み方向他方側の板面部を支持する後付け部材としての第二支持部材とを設けて板材を見込み方向両側から支持するにあたり、
前記第一支持部材は、見込み方向他方側に向けて延長されていて枠材と第二支持部材とのあいだに配設される延長部を備え、
該延長部と第二支持部材とのあいだには、第二支持部材を延長部に対して開口部の内方側から見付け方向外側に向けて無理嵌めすることで抜止め状態で嵌合する抜止め手段が設けられ、
前記抜止め状態の第二支持部材は、開口部の内方側から見付け方向外側に向けて螺入するビスを介して固定されていることを特徴とする板材の支持構造。
【請求項２】
第二支持部材は、前記ビスを挿入するため開口部の内方側が開口した凹溝部が形成され、該凹溝部は蓋体を介して塞がれることを特徴とする請求項１記載の板材の支持構造。
【請求項３】
凹溝部の開口を塞ぐ蓋体は、凹溝部に嵌入した先端部がビス頭に干渉してビスの抜け方向の移動を規制するように構成されていることを特徴とする請求項２記載の板材の支持構造。
【請求項４】
ビスは、延長部を越えて枠材にまで螺入していることを特徴とする請求項１乃至３の何れか１記載の板材の支持構造。
【請求項５】
抜止め手段は、第一支持部材側の嵌合溝部と、該嵌合溝部に抜止め状態で嵌入する第二支持部材側の係止脚片部とで構成されていることを特徴とする請求項１乃至４の何れか１記載の板材の支持構造。
【発明の詳細な説明】
【技術分野】
【０００１】
本発明は、建物に設けられるドア（扉、戸）や間仕切り等の板状体に形成される開口部に窓板等の板材を取付け支持する際に採用される板材の支持構造の技術分野に関するものである。
【背景技術】
【０００２】
一般に、建物に設けられるドアや間仕切り等の板状体のなかには、例えば採光のため窓用等の開口部を形成し、該開口部に、ガラス材やアクリル樹脂材等の各種の素材により形成された薄板状の板材（例えば窓板）を取付け支持するようにしたものが知られているが、このような板材を開口部に支持する場合、該板材を、開口部の見込み方向（板状体を正面視したときの前後方向）両側から支持部材で挟持状に支持することが一般的に行われている。
そしてこのような板材の支持をするにあたり、該板材が窓板であって、該窓板を窓用の開口部に支持する場合を例にして説明すると、窓用の開口部には内周縁部に枠材が設けられ、該枠材に窓板を取付け支持するものになるが、この場合、窓板の見込み方向一方側の板面部を支持する第一支持部材を先付け材として予め枠材に取付けた状態で、窓板を第一支持部材に当てがい、この状態で、該窓板の見込み方向他方側の板面部を、後付け材として取付けられる第二支持部材で当てがって支持するように構造したものが知られている（例えば特許文献１、２参照。）。
【先行技術文献】
【特許文献】
【０００３】
【特許文献１】特開平１０−２４６０７３号公報
【特許文献２】特開２００７−９２４６０号公報
【発明の概要】
【発明が解決しようとする課題】
【０００４】
ところが前記従来のものは、何れも第一支持部材を、見込み方向他方側の第二支持部材部位にまで至るよう見込み方向に向けて延長された延長部を有したものとして形成し、該延長部に、開口部の内方側から見付け方向外側に向けて第二支持部材を単純に当てがった状態で該第二支持部材をビス固定する構成にし、これにより窓板の見込み方向他方側の板面部の支持をしているものであるため、ビス固定が不十分であったり、ビスが緩んでいたような場合、窓板の第一、第二支持部材による支持が不十分であって、窓板に対して見込み方向の負荷が働いた場合に、窓板が傾斜したり不用意に振動して不快音が発生する等の問題があり、ここに本発明の解決すべき課題がある。
【課題を解決するための手段】
【０００５】
本発明は、上記の如き実情に鑑みこれらの課題を解決することを目的として創作されたものであって、請求項１の発明は、建物に設けられる開口部に板材を取付け支持するための支持構造であって、前記開口部の内周縁部に設けられる枠材に、開口部の見込み方向一方側に配され、前記板材の見込み方向一方側の板面部を支持する先付け部材としての第一支持部材と、開口部の見込み方向他方側に配され、板材の見込み方向他方側の板面部を支持する後付け部材としての第二支持部材とを設けて板材を見込み方向両側から支持するにあたり、前記第一支持部材は、見込み方向他方側に向けて延長されていて枠材と第二支持部材とのあいだに配設される延長部を備え、該延長部と第二支持部材とのあいだには、第二支持部材を延長部に対して開口部の内方側から見付け方向外側に向けて無理嵌めすることで抜止め状態で嵌合する抜止め手段が設けられ、前記抜止め状態の第二支持部材は、開口部の内方側から見付け方向外側に向けて螺入するビスを介して固定されていることを特徴とする板材の支持構造である。
請求項２の発明は、第二支持部材は、前記ビスを挿入するため開口部の内方側が開口した凹溝部が形成され、該凹溝部は蓋体を介して塞がれることを特徴とする請求項１記載の板材の支持構造である。
請求項３の発明は、凹溝部の開口を塞ぐ蓋体は、凹溝部に嵌入した先端部がビス頭に干渉してビスの抜け方向の移動を規制するように構成されていることを特徴とする請求項２記載の板材の支持構造である。
請求項４の発明は、ビスは、延長部を越えて枠材にまで螺入していることを特徴とする請求項１乃至３の何れか１記載の板材の支持構造である。
請求項５の発明は、抜止め手段は、第一支持部材側の嵌合溝部と、該嵌合溝部に抜止め状態で嵌入する第二支持部材側の係止脚片部とで構成されていることを特徴とする請求項１乃至４の何れか１記載の板材の支持構造である。
【発明の効果】
【０００６】
請求項１の発明とすることにより、板材を、先付けされる第一支持部材と、後付けされる第二支持部材とを用いて見込み方向両側から支持するものにおいて、第二支持部材は、第一支持部材に延長形成した延長部に対し、開口部の内方側から見付け方向外側に向けて無理嵌めした抜止め状態で嵌合されたものが、さらに開口部の内方側から見付け方向外側に向けて螺入するビスを介して固定されることになり、この結果、第二支持部材の固定が確実になって板材の支持が不安定化することを回避できることになる。
請求項２の発明とすることにより、第二支持部材を固定するためのビスは、蓋体により塞がれた凹溝部内に仕舞い込まれた状態になって直接視認されることが回避され、視認性が損なわれることがない。
請求項３の発明とすることにより、前記ビスは、蓋体の挿入先端部がビス頭に干渉することになって抜け方向の移動が規制されて、より確実な板材の支持ができることになる。
請求項４の発明とすることにより、ビスが、第一支持部材の延長部だけでなく枠体にまで螺入している結果、第二支持部材の固定が枠材にまで至ってより確実になる。
請求項５の発明とすることにより、第一支持部材と第二支持部材とのあいだに設けられる抜止め手段の構造が簡略化されると共に、第二支持部材の第一支持部材に対する無理嵌め嵌合作業も容易になる。
【図面の簡単な説明】
【０００７】
【図１】間仕切りの正面図である。
【図２】間仕切りの縦断面図である。
【図３】間仕切りの他例を示す縦断面図である。
【図４】間仕切りの支柱部位の横断面図である。
【図５】窓枠支持部位の縦断面図である。
【図６】窓板支持部位の分解縦断面図である。
【図７】戸体の窓開口部に窓板を支持した場合を示す縦断面図である。
【発明を実施するための形態】
【０００８】
以下、本発明の実施の形態について、図面に基づいて説明する。図面において、１は建物に設けられる板状体の一例である間仕切りであって、室内空間を仕切るため設けられるものであるが、該間仕切り１は、天井面Ｈに設けられる天井レール２と、床面Ｆに設けられる床レール（巾木）１２とのあいだの空間部に組付けられるものである。そして本実施の形態の間仕切り１は、天井レール２と床レール１２とのあいだに縦方向を向く状態で左右方向に適間隔を存して設けられる複数の支柱（ポスト、縦木、縦桟）１３と、隣接する支柱１３間に設けられた上下複数の横木（横桟）５、６とにより仕切られた縦横複数の開口部Ｓが形成されたものとして構成されている。
そしてこれら横木５、６のうち、最下段の横木５は、図２に示す実施の形態のように、最下段の開口部Ｓに組込まれる肉厚のパネル体（腰板、腰壁）３の上端縁部に設けられるものであるため、「腰上」と称されることがあるが、本発明の「枠材」の一実施例を構成するものであるため、以降「枠材」と称することにするが、この枠材５に窓板４を支持する構造については後述する。
一方、残りの横木６については、図２に示す実施の形態においては、上下の開口部Ｓに組込まれた窓板４を支持するものであり、これも本発明の枠材に相当するものであって、「無目」と称されることがある。
【０００９】
前記パネル体３と窓板４とのあいだに配される横木である枠材５に、窓板４の下端縁部が支持される構成について次に説明するが、該枠材５は、見込み方向（間仕切り１を正面視したときの前後方向）両端縁部に設けられる両脚片部５ａが前記パネル体３の前後表面３ａに外嵌する状態で組付けらているが、両脚片部５ａ同士を連結する状態で設けられる跨片部５ｂには、見込み方向中間部位（中央部位）が見付け方向外側に向けて凹み、開口部Ｓの内方側が開口した凹陥状の溝状部５ｃが設けられたものとなっており、これによって跨片部５ｂは、溝状部５ｃをあいだに見込み方向一方側と他方側とに二分割されたものとなっている。
また前記溝状部５ｃの開口は、跨片部５ｂが溝状部５ｃの溝側片部５ｄを越えるよう延出（突出）していて溝開口端縁になる係止片部５ｅが設けられており、これによって溝状部５ｃは、見込み方向の幅（間隔）についてみたときに、溝開口端縁となる係止片部５ｅ間の間隔が溝側片部５ｄ間の間隔よりも幅狭となったＣ型形状（入り口が狭く奥が広い蟻溝形状）をしている。
【００１０】
尚、前記説明では、上側に窓板４、下側にパネル体３が支持される枠材５について説明したが、上下両側に窓板４を支持する横木（枠材）６についても簡単に説明すると、このものは、図２、３に示すように、枠材６の上下両片部６ｂが前記跨片部５ｂに相当し、該上下両片部６ｂに前記溝状部５ｃに相当する溝状部６ｃが形成されたものとなっている。またこのことは、図２、３に示すように、天井レール２の下側に窓板４が配されるものである場合、天井レール２自体を枠材２として兼用化しており、そのため、天井レール２の下片部２ｂが前記跨片部５ｂに相当し、該下片部２ｂに、溝状部５ｃに相当する溝状部２ｃが形成されたものとなっている。
そして本発明が実施される枠材については、特に横木５、６や天井レール２に兼用化された構成のものに限定されることはなく、例えば図３に示す他の実施の形態のように、最下端の開口部Ｓに窓板４を支持するものである場合に、床レール１２に、別部材として専用の枠材１４を設けたものや、図４に示すように、支柱１３に窓板４を支持する場合に、支柱１３に別部材として補助枠材１５を設けたものとしても実施することができる。これらの場合に、１４ｂ、１５ｂは枠材５の跨片部５ｂに相当し、１４ｃ、１５ｃは枠材５の溝状部５ｃに相当したものとなるよう形成されている。
このように本発明を実施するための枠材としては、前記横木５、６や天井レール２に形成された兼用タイプのものや、床レール１２や支柱１３に別部材として設けられた専用タイプのものの何れであってもよく、本発明はこれらの構成に限定されるものでないことは言うまでもない。
【００１１】
７は先付け部材として枠材５に取付けられる第一支持部材であって、該第一支持部材７は、四角筒形状（フォロー状）になった本体部７ａを備えているが、該本体部７ａの見付け方向外側（枠材５側）の片部（外側片部）７ｂを前記枠材５の跨片部５ｂにおける見込み方向一方側の片部に当てがう（当接する）状態で取付けられるようになっている。さらに本体部７ａの見込み方向他方側（窓板４側）の片部（他方側片部）７ｄには、開口部内方側のコーナー部位に位置する状態で、窓板４の見込み方向一方側の板面部に弾圧状に当接して支持するための支持片７ｃが襞状に延出形成されている。
因みに第一支持部材７は、樹脂材により成形されたものであるが、その場合に、支持片７ｃ以外の部位については形状維持を図る必要性から硬質状に、支持片７ｃ部位については弾性状の支持を図る必要性から軟質状に成形された硬軟異なったものになっている。このような硬軟異なった状態で樹脂成形されることについては、後述する第二支持部材８についても、支持片８ｉ部位が軟質状で、他の部位が硬質状となるように形成されていることは同様である。
【００１２】
また第一支持部材７の前記他方側片部７ｄからは、窓板４の支持位置を越える状態で見込み方向他方側に延長（延出）する延長部７ｅが設けられているが、該延長部７ｅの、後述する第二支持部材８に対応する部位は、見付け方向外側に向けて凹み、開口部Ｓの内方側が開口した凹陥状の嵌合溝部７ｆが形成されている。そして該嵌合溝部７ｆは、前記溝状部５ｃの形状と同様、開口端縁が嵌合溝部７ｆの溝側片部７ｇを越えて対向する見込み方向に向けて延出（突出）した係止片部７ｈが設けられており、これによって嵌合溝部７ｆは、見込み方向の幅（間隔）について、係止片部７ｈ間の間隔が溝側片部７ｇ間の間隔よりも幅狭となったＣ型形状（蟻溝形状）をしている。そして第一支持部材７を枠材５の先付けした場合に、嵌合溝部７ｆの溝底片部７ｉが枠材跨片部５ｂの見込み方向他方側の片部に面接触するように設定されている。
【００１３】
さらに第一支持部材７には、本体部７ａの前記外側片部７ｂと他方側片部７ｄとのコーナー部、及び嵌合溝部７ｆの見込み方向一方側の溝底側コーナー部からは、見付け方向外側に向けて前後一対の係止脚片部７ｊが延出形成されている。そして第一支持部材７は、該係止脚片部７ｊを枠材５の溝状部５ｃに対して開口部Ｓの内方側から見付け方向外側に向けて嵌入することで、係止脚片部７ｊに設けた係止爪７ｋが枠材５の係止片部５ｅに無理嵌め状に嵌入して抜止め係止状態になって枠材５に対する第一支持部材７の抜止め状の取付けがなされるようになっており、この取付け状態では、溝状部５ｃを挟む状態で見込み方向両側において、第一支持部材７の外側片部７ｂと溝底片部７ｉが、枠材５の跨片部５ｂにそれぞれ面接触状態で当接するようになっている。
【００１４】
一方、８は窓板４の見込み方向他方側の板面部を支持するため後付け部材として設けられる第二支持部材であって、該第二支持部材８は、開口部Ｓの内方側が開口した凹陥状の凹溝部８ａが本体部となる状態で設けられているが、該凹溝部８ａは、前記枠材５の溝状部５ｃ、第一支持部材７の嵌合溝部７ｆの形状と同様、開口端縁が溝側片部８ｂを越えて対向する見込み方向に向けて延出（突出）した係止片部８ｃが設けられており、これによって凹溝部８ａは、見込み方向の幅（間隔）について、係止片部８ｃ間の間隔が溝側片部８ｂ間の間隔よりも幅狭となったＣ型形状（蟻溝形状）をしている。
【００１５】
また第二支持部材８の溝底片部８ｄには、見付け方向外側方に向けて一対の係止脚片部８ｅが延出形成されている。そして第二支持部材８は、係止脚片部８ｅを第一支持部材７の嵌合溝部７ｆに対して開口部Ｓの内方側から見付け方向外側に向けて嵌入することで、係止脚片部８ｅに設けた係止爪８ｆが嵌合溝部７ｆの係止片部７ｈに無理嵌め状に嵌入して抜止め係止状態になり、これによって第二支持部材８の第一支持部材７に対する抜止め状の取付けがなされるようになっており、この取付け状態では、係止脚片部８ｅの嵌入先端部８ｇが第一支持部材嵌合溝部７ｆの溝底片部７ｉに当接または近接対向していることで干渉することになり、これによって、溝底片部７ｉが跨片部５ｂから離間する方向の移動が規制されることになって第一支持部材７の枠材５側への支持が確実になる。
そしてこのようにして取付けられた第二支持部材８には、凹溝部８ａの見込み方向一方側の溝側片部８ｂの開口端部位から延出していて、窓板４の見込み方向他方側の板面部に弾圧状に当接して支持するための支持片８ｉが襞状に延設されている。
【００１６】
このようにして第一支持部材７に抜け止め状に取付けられた第二支持部材８は、さらに凹溝部８ａに対して開口部Ｓの内方側から見付け方向外側に向けて挿入したビス９を、ビス頭９ａが凹溝部８ａの溝底片部８ｄに当接するまで螺入することにより、螺子部９ｂが、第一支持部材７の嵌合溝部溝底片部７ｉおよび枠材５の跨片部５ｂにまで螺入することになって、第二支持部材８のビスを介しての第一支持部材７及び枠材５に対する取付け固定がなされるようになっている。
【００１７】
さらに１０は前記第二支持部材８の凹溝部８ａの開口を塞ぐため設けられる蓋体であって、該蓋体１０は、蓋本体部１０ａと、該蓋本体部１０ａから延出される一対の脚片部１０ｂとを備えて構成されるが、前記第一支持部材７にビス固定された状態の第二支持部材８の凹溝部８ａの開口から脚片部１０ｂを嵌入して、該脚片部１０ｂに設けた係止爪１０ｃが凹溝部８ａの係止片部８ｃに対して無理嵌め状に嵌入して抜止め係止することで、蓋体１０は、蓋本体部１０ａが凹溝部８ａの開口を塞ぐ状態で取付けられるが、この場合に、凹溝部８ａに嵌入した嵌入先端部１０ｄが、前記ビス９のビス頭９ａに当接または近接対向する状態で干渉し、これによってビス９の抜け方向の移動を規制するように構成されている。
【００１８】
叙述の如く構成された本実施の形態において、前記間仕切り１のように建物に設けられる板状体において、間仕切り１に形成される開口部Ｓに薄板状の窓板４を板材として取付け支持するにあたり、該窓板４は前記開口部Ｓの内周縁部に設けられる枠材５に支持されることになるが、その場合に、開口部Ｓの見込み方向一方側に配され、先付け部材（先行して取付けられる部材）として第一支持部材７が枠材５に設けられた（取付けられた）状態で、窓板４の見込み方向一方側の板面部を支持片７ｃに当接する状態で当てがい、この状態で、開口部の見込み方向他方側において、後付け部材として第二支持部材８を取付けることで、該第二支持部材８に設けられる支持片８ｉが窓板４の見込み方向他方側の板面部に当接する状態となり、これにより窓板４は、第一、第二支持部材７、８により見込み方向両側の板面部が挟持状に支持されることになる。
【００１９】
このように窓板４は、第一、第二支持部材７、８による支持がなされることになるが、この場合に、第一支持部材７は、見込み方向他方側に向けて延長されていて枠材５と第二支持部材８とのあいだに重合状（挟持状）に配設される延長部７ｅを備えたものとして構成され、そして第二支持部材８は、延長部７ｅに対して開口部Ｓの内方側から見付け方向外側に向けて無理嵌めすることで抜止め状態で嵌合取付けされたものが、さらに開口部Ｓの内方側から見付け方向外側に向けて螺入するビス９を介して固定されたものになり、この結果、第二支持部材８は、前記延長部７ｅに対する抜止め状態の嵌合取付け方向と、ビス９による固定方向とが同方向になった状態での固定がなされることになって、第二支持部材８の支持固定が確実になって窓板４の支持が不安定化することを回避できることになる。
【００２０】
しかもこの場合に、第二支持部材８には、前記ビス９を挿入するため開口部Ｓの内方側が開口した凹溝部８ａが形成されているが、該凹溝部８ａは、ビス９を螺入した状態で蓋体１０を介して塞がれることになるため、ビス９は、蓋体１０により塞がれた凹溝部８ａ内に仕舞い込まれた状態になって直接視認されることが回避されたものとなって視認性が損なわれることがない。
【００２１】
そのうえ前記蓋体１０は、凹溝部８ａに嵌入した先端部１０ｄがビス頭９ａに干渉（当接または近接対向することによる干渉）していてビス９の抜け方向の移動を規制することになり、このためビス９が緩んでしまうような不具合発生を回避できることになって、第二支持部材８の支持固定がより確実なものになる。
しかもビス９は、螺子部９ｂが延長部７ｅを越えて枠材５の跨片部５ｂにまで螺入しているため、ビス９による第二支持部材８の固定がより強固なものになって第二支持部材８の支持固定が一段と確実なものになる。この場合に、延長部７ｅと跨片部５ｂとは当接状態になっているため、一体化された肉厚なものとなってビス９のしっかりとした螺入がなされることになる。
【００２２】
また、第二支持部材８と延長部７ｅとのあいだの抜止め状態の嵌合取付けをするための抜止め手段が、第一支持部材７の延長部７ｅに設けられるの嵌合溝部７ｆと、該嵌合溝部７ｆに抜止め状態で嵌入する第二支持部材８側の係止脚片部８ｅとで構成されているため、第一支持部材７と第二支持部材８とのあいだに設けられる抜止め手段の構造が簡略化されると共に、第二支持部材８を第一支持部材７に対して無理嵌め嵌合する際の作業も容易になって作業性が向上する。
【００２３】
なお、本発明は前記実施の形態に限定されるものではなく、板状体に設けられる開口部に薄板状の板材を取付け支持するための構成として利用することができ、例えば板状体が、図７に示すように戸体１６である場合に、戸体１６に設けられる開口部Ｓに窓板４を取付け支持する場合においても同様に、第一、第二支持部材７、８を用いて実施することができる。尚、このものにおいて、図中１７は、縦横枠材５のコーナー部に設けられるコーナー部材である。
そして本発明を実施するため、開口部の内周縁部に設けられる枠材として、前記実施の形態においては、枠材（横木等）５、６、天井レール２、床レール１２を枠材相当にしたものとして実施することができるが、例えば前記図４に示す実施の形態ように、支柱１３に対して抜止め状に設けた補助枠材１５を用いることで、これらが一体化された本発明の枠材に相当するものとして実施してもよい。そしてさらには、補助枠材１５がなく、支柱１３に直接第一支持部材を設けたものとしても実施することができ、この場合には支柱１３自体が、前記天井レール２、床レール１２と同様、枠材に相当することになる。
一方、第二支持部材は、本発明においてはビス固定されたものとして抜け止めがなされたものになるが、このようなビス固定による第二支持部材の抜止めは、板材の上下両端部側、左右両端部側の何れか一方の端部側がビス固定により抜止めされた第二支持部材によって支持さていれば十分であって、四周全てがビス固定された第二支持部材を介して板材を支持する必要は必ずしもない。
さらにまた、本発明を実施するにあたり、第一支持部材については、板材の見込み方向一方側の板面部を支持するものであれば実施することができ、そのため、第一支持部材の見込み方向一方側部位について、例えば、第二支持部材と同等のものを別部材としてビス固定できる構成とした二物品のものとしても実施することができる。
【産業上の利用可能性】
【００２４】
本発明は、戸体や間仕切り等の板状体に設けた開口部に薄板状の板材を支持するための板材の支持構造として利用することができる。
【符号の説明】
【００２５】
１  間仕切り
４  窓板
５  枠材
５ｃ  溝状部
７  第一支持部材
７ｅ  延長部
７ｆ  嵌合溝部
８  第二支持部材
８ａ  凹溝部
９  ビス
１０  蓋体
１０ｄ  先端部
【図１】
2020084713.tif 000003
【図２】
2020084713.tif 000004
【図３】
2020084713.tif 000005
【図４】
2020084713.tif 000006
【図５】
2020084713.tif 000007
【図６】
2020084713.tif 000008
【図７】
2020084713.tif 000009